(57)【要約】【課題】  消費電力の高い回動式の表示部では、表示部の温度が上昇する。【解決手段】  撮像装置に対して回動可能なビューファインダーの外観部に吸気口及び排気口を設けるとともに、吸気口から排気口へと送風し、内部に設けられた発熱源となる電気部品を冷却するための送風機と、吸気口に空気を送るための流路と兼ねる逃げ凹を設ける。【選択図】  図４
2020068442.tif 000002
【特許請求の範囲】
【請求項１】
回動可能に取り付けられたビューファインダーを有する撮像装置であって、
前記ビューファインダーは吸気口及び排気口と、前記吸気口から取り込んだ外気を前記排気口へと送風することにより電気部品を冷却するための送風機と、回動する際に干渉しないための逃げ凹部とを備え、
前記逃げ凹部を前記吸気口から取り込む空気の流路と兼用したことを特徴とする撮像装置。
【請求項２】
前記電気部品と前記送風機は、熱伝導部材を介して熱的に接続されることを特徴とする請求項１に記載の撮像装置。
【請求項３】
前記送風機は、少なくとも前記熱伝導部材と接している面が金属部材から構成されることを特徴とする請求項１または２に記載の撮像装置。
【請求項４】
前記吸気口と前記排気口は、前記撮像装置に対して前記ビューファインダーを跳ね上げた際に露出する位置に配置されていることを特徴とする請求項１乃至３のいずれか１項に記載の撮像装置。
【請求項５】
前記吸気口と前記排気口は、前記ビューファインダーの回動機構の下に配置されていることを特徴とする請求項１乃至４のいずれか１項に記載の撮像装置。
【請求項６】
前記逃げ凹部の上部が切りかかれていることを特徴とする請求項１乃至５のいずれか１項に記載の撮像装置。
【発明の詳細な説明】
【技術分野】
【０００１】
本発明は、撮像装置に関する。
【背景技術】
【０００２】
ビデオカメラ等の撮像装置には、撮影者が被写体や設定を確認するためのビューファインダーが搭載されているものがある。ビューファインダーの構成要素の中で表示パネルは発熱源となっており、熱対策が十分でないと内部素子の破壊や、ビューファインダーを構成する筐体外観部の温度上昇などの問題を引き起こすことになる。そのため、表示パネルの放熱が不可欠である。
【０００３】
ところで、このビューファインダーは、撮影者が様々な撮影スタイルで使用できるように、回動可能となっているものもある。このような回動可能なビューファインダーでは、ビューファインダー内で発生した熱を熱容量の大きい本体部へ伝える構造が難しく、ビューファインダー内で放熱構造が完結していることが望ましい。例えば、特許文献１に開示されているように、発熱源となる表示パネルから表面積の大きく熱伝導率の高い放熱部材に放熱し、拡散させる方法がある。
【先行技術文献】
【特許文献】
【０００４】
【特許文献１】特開２０１６−５４４２５号公報
【発明の概要】
【発明が解決しようとする課題】
【０００５】
近年、ビューファインダーが高精細化され、或いはハイダイナミックレンジ対応といった高機能化されることに伴い、消費電力が増大している。このようなビューファインダーの消費電力増加に対応するためには、従来のような熱の拡散による対策では不十分であるという課題がある。
【課題を解決するための手段】
【０００６】
本発明の撮像装置は、回動可能に取り付けられたビューファインダーを有する撮像装置であって、前記ビューファインダーは吸気口及び排気口と、前記吸気口から取り込んだ外気を前記排気口へと送風することにより前記電気部品を冷却するための送風機と、回動する際に干渉しないための逃げ凹部とを備え、前記逃げ凹部を前記吸気口から取り込む空気の流路と兼用したことを特徴とする。
【発明の効果】
【０００７】
本発明によれば、回動可能なビューファインダー内で発生する熱を効果的に外気へ放熱することが可能となり、素子の破壊やビューファインダー外観部の温度上昇を防ぐことができる。
【図面の簡単な説明】
【０００８】
【図１】ａは本発明の実施形態における撮像装置の斜視図、ｂは本発明の実施形態における撮像装置の斜視図。
【図２】ａは本発明の実施形態における回動式ビューファインダーの説明図、ｂは本発明の実施形態における回動式ビューファインダーの説明図。
【図３】本発明の実施形態における撮像装置の分解斜視図。
【図４】ａは本発明の実施形態におけるビューファインダー単体の斜視図及び断面斜視図、ｂは本発明の実施形態におけるビューファインダー単体の斜視図及び断面斜視図、ｃは本発明の実施形態におけるビューファインダー単体の斜視図及び断面斜視図。
【図５】ａは本発明の実施形態におけるビューファインダーの放熱流路の説明図、ｂは本発明の実施形態におけるビューファインダーの放熱流路の説明図、ｃは本発明の実施形態におけるビューファインダーの放熱流路の説明図。
【発明を実施するための形態】
【０００９】
以下、本発明の実施形態について図面を参照しながら説明する。
【００１０】
（撮像装置の概要）
図１ａ、図１ｂは、撮像装置の一例であるレンズ交換式のデジタルビデオカメラを示している。本実施形態では、撮像装置において、レンズ（前玉）側から見た面を正面、正面と対向する面を背面、正面から見て右側の面を右側面、正面から見て左側の面を左側面、正面から見て上側の面を上面、正面から見て下側の面を底面、と各々称する。
【００１１】
図１ａは、撮像装置１０の左側面を正面上方から見た斜視図、図１ｂは、撮像装置１０の右側面を背面上方から見た斜視図である。
【００１２】
図１ａに示すように、本実施形態の撮像装置１０の正面には、不図示のレンズユニットを着脱するためのマウント部２０が配置され、正面及びマウント部２０を覆う正面カバーユニット３０を備えている。なお、レンズの着脱方法や撮影の操作などは一般的なレンズ交換式ビデオカメラと同様であり、かつ本発明の主旨ではないため割愛する。
【００１３】
撮像装置１０の左側面には、左側カバーユニット４０を備えており、左側カバーユニット４０には、放熱ダクトに外気を取り込むための吸気口４１が設けられている。また、左側カバーユニット４０には、撮像装置１０を撮影時に把持するための不図示のグリップユニットを着脱可能な取り付け部であるグリップ取り付け部４２が設けられている。このグリップユニットには、撮影のスタート／ストップを行うキーなどが配置され、撮像装置１０と電気的に接続することで上記操作を行うことができる。
【００１４】
撮像装置１０の上面には、上面カバーユニット５０を備えており、不図示のトップハンドルや不図示の表示パネル等を取り付けるためのアクセサリー取り付けネジ５１が前後に２個設けられている。また、上面カバーユニット５０の後方には、ビューファインダー６０が配置されている。
【００１５】
撮像装置１０の右側面には、右側カバーユニット７０を備えており、右側面操作キー７１、電源ダイヤル７２、第一の記録メディアスロット７３、メジャーピン７４、放熱ダクトに取り込んだ外気を排出するための排気口７５が配置されている。
【００１６】
右側面操作キー７１は撮影時や再生時に使用する釦から構成され、それぞれに機能割り振りが可能となっている。例として、撮影のスタート／ストップ、ピーキング、撮影画角の部分拡大、ＮＤユニットのフィルタ濃度の切り替え、送風機の回転数の変更などがある。
【００１７】
電源ダイヤル７２は回動することにより、撮像装置１０の電源のＯＮ／ＯＦＦ切り替えが可能である。電源オン状態では、レンズによって取得された光情報を撮像センサー及びメイン回路基板により画像データに変換し、ビューファインダー６０や外部モニタ等に画像を表示することができる。
【００１８】
第一の記録メディアスロット７３は主として使用する第一記録メディアを挿入するスロットであり、第一の記録メディアを保護するための第一の記録メディア蓋が配置されている。第一の記録メディア蓋は開閉可能に配置されており、開状態において第一の記録メディアの挿抜が可能となる。
【００１９】
第一の記録メディア蓋は閉状態において、第一の記録メディアへのアクセスが可能となり、レンズによって取得された光情報を撮像センサー及びメイン回路基板により変換された画像データを記録することができる。第一の記録メディアは、例えばＣＦａｓｔカードであり、本撮像装置１０に搭載されている記録メディアの中で最も発熱するものである。
【００２０】
右側カバーユニット７０には、後述する送風機により排出される空気を外部へ排出するための排気口７５が設けられており、開口部は撮像装置１０の光軸に対し上下略対象に配置されている。メジャーピン７４は、被写体までの距離である焦点距離を測る際に使用するメジャーを掛けるために設けられている。そのため、メジャーピン７４はセンサーと略同一平面上に配置されている。
【００２１】
次に、撮像装置１０の背面側には、背面カバーユニット８０を備えており、底面側には、撮像装置１０に電源を供給するためのバッテリーを本体と接続するためのバッテリー室８１が配置されている。背面の中段にはメニュー表示およびその操作を行うための背面操作キー８２、入力する音声の選択や音量レベルの設定を行うオーディオ操作キー８３、第二の記録メディアスロット８４が配置されている。
【００２２】
第二の記録メディアスロット８４には、第二の記録メディアを２枚まで挿抜することができ、単独でデータを記録することが可能である。同じデータを第一の記録メディアと第二の記録メディアに同時に記録し、或いは２枚挿入された第二の記録メディアにリレー記録することも可能である。第二の記録メディアは、例えばＳＤカードである。
【００２３】
さらに背面には、外部インターフェイス８５が配置されている。図中では蓋に覆われているが、内部に接続コネクタが配置されており、ＳＤＩ信号を出力するためのＢＮＣコネクタ、映像出力するためのＨＤＭＩ（登録商標）コネクタ、電源供給用の電源コネクタ、音声出力用のヘッドフォンコネクタ等が配置されている。また、ビューファインダー６０は、背面カバーユニット８０側から見ると上面側に配置されており、撮像装置１０の後方に突出している。
【００２４】
（回動式ビューファインダー）
図２ａおよび図２ｂは、本実施形態における撮像装置に設けられている回動式ビューファインダーを説明するための斜視図である。図２ａはビューファインダー６０が第一の位置にあるときの斜視図、図２ｂはビューファインダー６０が第二の位置にあるときの斜視図である。
【００２５】
ビューファインダー６０は、前述したように撮像装置１０から突出して設けられており、第一の位置から第二の位置まで後述する回動ヒンジによって回動することができる。このようにビューファインダー６０が複数の位置をとることで、撮影者が様々なスタイルでビューファインダー６０を覗くことができ、撮影の自由度が上がる。
【００２６】
（撮像装置の内部構造）
図３は本発明の撮像装置の分解斜視図を示しており、外観カバーユニットやビューファインダー６０を非表示にした状態を示している。図３を用いて撮像装置１０の内部構造について説明する。
【００２７】
図３に示すように、撮像装置１０は、光軸方向前方から、マウント部２０、ＮＤユニット９１、撮像回路基板９２、撮像回路基板用放熱ダクト９３、メイン回路基板９４の順に配置されている。さらに、メイン回路基板用放熱ダクト９５、送風機９６、第一のメディア基板用放熱ダクト９７、第一のメディア基板９８、背面カバーユニット８０の順に配置されている。
【００２８】
本実施例では、ＮＤユニット９１は電動のＮＤユニットとなっており、右側面操作キー７１を操作することにより複数の濃度のＮＤフィルタを電動駆動で入れ替え可能となっている。撮像回路基板９２、メイン回路基板９４、第一のメディア基板９８はそれぞれ発熱源となる。そのため、前述したようにそれぞれの発熱源に対して撮像回路基板用放熱ダクト９３、メイン回路基板用放熱ダクト９５、第一のメディア基板用放熱ダクト９７といった専用の放熱ダクトを設けている。
【００２９】
各発熱源の熱をそれぞれ専用の放熱ダクトに伝熱し、送風機９６によって外気を取り込んで放熱ダクトの内部を通過させ、放熱ダクトの熱を通過する空気に伝熱して撮像装置１０の外部に排出する。これにより、撮像装置１０内部の主な発熱源を効率的に冷却することができる。
【００３０】
（ビューファインダーの放熱構造）
図４ａはビューファインダー単体の斜視図、図４ｂは図４ａにおけるＡ−Ａ断面斜視図、図４ｃは図４ｂにおいて放熱構造に関係する要素だけにした部分拡大図を示している。図４ａ〜図４ｃを用いてビューファインダー６０の放熱構造について説明する。なお、図４ｂ及び図４ｃでは、ビューファインダー６０の強制空冷における放熱経路を破線矢印にて示している。
【００３１】
図４ｂに示すように、ビューファインダー６０の内部には、前方から、不図示の遠心ファンを内蔵したビューファインダー用送風機１０１、熱伝導部材１０２、ビューファインダー基板１０３が配置される。また、撮影画像や再生画像、設定画面等を表示する表示ユニット１０４、表示ユニット１０４内で表示パネルを実装し駆動回路を有するパネル基板１０５、表示ユニット１０４を保持する表示ユニットホルダー１０６が配置される。さらに、表示ユニット１０４に表示された画像を拡大させるレンズユニット１０７、レンズユニット１０７を保持するレンズユニットホルダー１０８が配置される。また、レンズユニットホルダー１０８への傷や埃の侵入を防ぐレンズカバー１０９が配置されている。
【００３２】
また、ビューファインダー６０は、レンズユニットホルダー１０８を光軸方向に移動させて撮影者の視度に合わせるための視度調節レバー１１０、ビューファインダー６０を第一の位置から第二の位置へと回動させる回動機構である回動ヒンジ１１２を備えている。さらに、メイン回路基板９４とビューファインダー基板１０３とを電気的に接続するフレキシブル回路基板１１１を備えている。
【００３３】
これらビューファインダー６０の構成要素１０１〜１１１は、ビューファインダー上カバー１１３およびビューファインダー下カバー１１４により保持される。また、ビューファインダー６０後方には、ビューファインダー６０を覗く撮影者の目を保護するゴム状の部材からなるアイカップ１１７が取り付けられている。
【００３４】
ビューファインダー下カバー１１４には、ファインダー吸気口１１５とファインダー排気口１１６が設けられている。ファインダー吸気口１１５及びファインダー排気口１１６はビューファインダー用送風機１０１の吸排気口と対応した位置に設けられている。
【００３５】
次に、ビューファインダー６０における放熱方法について説明する。発熱源となる電気部品の一つであるパネル基板１０５で発生した熱は、熱伝導部材１０２を介してビューファインダー用送風機１０１に伝達される。破線矢印で示している通り、ビューファインダー用送風機１０１はファインダー吸気口１１５から外気を取り込み、パネル基板１０５から熱伝導部材１０２を介して伝達された熱を取り込んだ外気に伝達する。そして、暖まった外気をファインダー排気口１１６からビューファインダー６０の外部へと排出する。これにより、ビューファインダー６０は、それ自身の中で簡易的な強制空冷構造を実現でき、発熱源となる電気部品の一つであるパネル基板１０５の熱を外部へと放熱できる。
【００３６】
なお、本実施例におけるビューファインダー６０では、ビューファインダー用送風機１０１は小型の遠心ファンが内蔵される。さらに、熱伝導部材１０２は放熱ゴムやスポンジに巻いたグラファイトシートから構成されるが、同様の機能を有する送風機、熱伝導部材であればよい。また、放熱効果を高めるために、前ビューファインダー用送風機１０１とビューファインダー用送風機１０１の外装、もしくは少なくとも熱伝導部材１０２と接する面は、アルミなどの熱伝導率の高い金属部材で構成されていることが望ましい。
【００３７】
さらに、ビューファインダー用送風機１０１とファインダー排気口１１６の間にゴム状もしくはスポンジ状の付勢部材１２０を挟むことで、空気の漏れを抑制できる。同様の理由から、付勢部材をビューファインダー用送風機１０１とファインダー吸気口１１５の間にも挟んでもよい。
【００３８】
前述したように、撮像装置１０は各種放熱ダクトと送風機９６を用いた強制空冷構造によって冷却するように構成されている。また、ビューファインダー６０は、撮像装置１０から上面後方に突出した位置に配置されており、第一の位置から第二の位置まで回動する。そのため、例えば撮像装置１０内の各種放熱ダクト（例えばメイン回路基板９４）と熱的に接続し送風機９６により放熱しようとすると、放熱経路が複雑化し、部品点数やコストの増加につながる可能性がある。これに対し、本実施例のような構成により、ビューファインダー６０単体で外気への効率的な放熱を実現することができる。
【００３９】
（ビューファインダーの放熱流路）
図５ａはビューファインダー６０が第一の位置にある状態における放熱流路を示す斜視図であり、図５ｂはビューファインダー６０が第一の位置にある状態における放熱流路を示す断面斜視図である。さらに、図５ｃはビューファインダー６０が第二の位置にある状態における放熱流路を示す斜視図である。図５ａ〜図５ｃを用いて、本実施例の撮像蔵置１０におけるビューファインダー６０の放熱流路について説明する。
【００４０】
図５ａ〜図５ｃにおいて、ビューファインダー６０の放熱流路を、吸気を一点鎖線にて、排気を二点鎖線にて示している。
【００４１】
ビューファインダー６０が第一の位置にある場合、ファインダー吸気口１１５は撮像装置１０の背面カバーユニット８０と対向する位置に配置されているため、塞がってしまう。そこで、ビューファインダー上カバー１１３の上面の一部に切欠き１１８を設け、ビューファインダー６０が撮像装置１０に対して回動する際に干渉しないための逃げ凹部１１９がファインダー吸気口１１５へと空気を送るための流路を兼用するように構成する。
【００４２】
なお、切欠き１１８は逃げ凹部１１９の上部に位置している。これにより、ファインダー吸気口１１５は図示した一点鎖線の通り、切欠き１１８及び逃げ凹部１１９を流路とすることにより外気を取り込むことができる。
【００４３】
ビューファインダー６０が第二の位置にある場合、ファインダー吸気口１１５及びファインダー排気口１１６は外部に露出する。そのため、ファインダー吸気口１１５は直接外気を取り込むことができる。以上により、回動するビューファインダー６０は第一の位置及び第二の位置のいずれの場合においても、強制空冷における吸気と排気が可能となる。
【００４４】
また、ファインダー吸気口１１５及びファインダー排気口１１６は回動機構である回動ヒンジ１１２の下に配置しており、撮影者が意図しないと触りにくい位置である。これにより、撮影者が手などでファインダー吸気口１１５及びファインダー排気口１１６を塞いでしまうリスクを抑えることができる。さらに、雨や埃などの侵入も抑えることができる。
【００４５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００４６】
１０  撮像装置
６０  ビューファインダー
１０１  ビューファインダー用送風機
１０３  ビューファインダー基板
１０４  表示ユニット
１０５  パネル基板
１１２  回動ヒンジ
１１５  ファインダー吸気口
１１６  ファインダー排気口
１１８  切欠き
１１９  逃げ凹部
【図１】
2020068442.tif 000003
【図２】
2020068442.tif 000004
【図３】
2020068442.tif 000005
【図４】
2020068442.tif 000006
【図５】
2020068442.tif 000007